(57)【要約】【課題】  トラクタに連結した畦塗機で、トラクタに対して畦塗り部を１８０度旋回して後進作業で畦形成の未作業部分を形成するための旋回手段をハンドルによって遠隔操作しようとするものである。【解決手段】  トラクタから伝達される伝達部を有した装着フレームと、この装着フレームの略中央部に設けた回転軸を中心として１８０度旋回する支持フレームと、支持フレームの他方部に設けた畦形成部とからなる畦塗機である。前記回転軸部には固定手段を具備させて固定解除可能に支持させるとともに支持フレームの他方部に操作ハンドルを設けて、前記固定手段と連結して構成したもので、作業機の外部から簡単な構成で固定手段のロック解除を容易に可能にしたものである。【選択図】      図５
2005058203.tif 000002
【特許請求の範囲】
【請求項１】
トラクタから伝達される伝達部を有した装着フレームと、この装着フレームの略中央部に設けた回転軸を中心として１８０度旋回する支持フレームと、支持フレー厶の他方部に設けた畦形成部と、前記回転軸部には固定手段を具備させて固定解除可能に支持させるとともに支持フレームの他方部に操作ハンドルを設けて、前記固定手段と連結してなるトラクタに連結する畦形成機。
【発明の詳細な説明】
【技術分野】
【０００１】  本発明は、トラクタに連結して水田の畦を形成するもので、畦形成未作業部に対して畦形成部を１８０度旋回させて後進作業で未作業部分の畦形成を可能とする旋回手段を有した構成に関するものである。
【背景技術】
【０００２】  背景技術としては同一出願人による、トラクタの後部に装着されトラクタのＰＴＯ軸から伝動される入力軸を有した主変速ボックスと、主変速ボックスに設けた縦軸を下部に垂設して直結した副変速ボックスと、副変速ボックスから土盛装置と畦形成装置に伝達する支持フレームとからなる畦形成機において、前記副変速ボックスは、主変速ボックスの縦軸を中心として回動自在に構成した畦形成機。又、前記構成において、土盛装置の直後で畦形成装置の直前に畦上面削土装置を配置したことを特徴としたものである。又、前記構成において、主変速ボックス側と支持フレーム側部とが係合されて固定する手段を具備したことを特徴とした畦形成機が公知である。（特許文献１）
【特許文献１】  特開２００３−１２５６０２号公報
【発明の開示】
【発明が解決しようとする課題】
【０００３】  上記背景技術によれば、主変速側と土盛装置と畦形成装置とを伝動する支持フレーム側部とを直接に係合する固定手段を設けて、前進作業位置，後進作業位置および走行移動位置を選択して、手動によりストッパピンを差し込むもので、固定手段の係合片がそれぞれのフレーム部に突出して邪魔になったり、いちいち手作業でストッパピンの差し入れをするのが煩わしい問題がある。
【課題を解決するための手段】
【０００４】  上記課題を解決するために、トラクタから伝達される伝達部を有した装着フレームと、この装着フレームの略中央部に設けた回転軸を中心として１８０度旋回する支持フレームと、支持フレームの他方部に設けた畦形成部と、前記回転軸部には固定手段を具備させて固定解除可能に支持させるとともに支持フレームの他方部に操作ハンドルを設けて、前記固定手段と連結してなるトラクタに連結する畦形成機を提供したものである。
【発明の効果】
【０００５】  本発明を実施した畦形成機をトラクタに連結して水田に導入して、先ず前進作業による畦形成をする。畦の最終端にトラクタが達した後に、畦形成部を操作ハンドルによって固定手段を解除して１８０度旋回させて固定すると後進作業が可能となる。後進作業が終了した後に操作ハンドルによって固定を解除し、９０度旋回すると走行移動時の位置に格納されてトラクタ巾内に納まる。従って本発明によれば、畦形成部の外部から操作ハンドルを操作することによって、操作ハンドルの操作と同時に畦形成部の旋回と固定・解除が容易にできる効果がある。
【発明を実施するための最良の形態】
【０００６】  以下、本発明の実施の形態を図面に基づいて説明する。図１は本発明を実施した畦形成機の前進作業時の平面図、図２は前進作業時の後面図、図３は前進作業時の左側面図、図４は畦形成機の後進作業時の平面図、図５は畦形成機の走行移動時の一部を省略した左側面図、図６は図５に示した左側面図の回転軸部の詳細図、図７は支持フレーム部の説明図、図８は固定手段の固定解除説明図である。【０００７】  図１から図３において、１は装着フレームを示し、前方に一対のロアピン１１及びトップブラケット１２を有して、図示していないがトラクタの後部三点リンクヒッチに連結される。２は支持フレームを示し、基部は装着フレーム１の後部略中心部に設けた回転軸４によって旋回自在に支持されて、その他方端にはパイプフレーム２２を介して畦形成部３を配置してなる。パイプフレーム２２は支持フレーム２の外周を摺動自在に構成している。畦形成部３は掘削爪３６を有した盛土装置と、畦上面削土装置及び畦形成装置から構成される。【０００８】  ４３は連結ロッドを示して、装着フレーム側の回転軸より走行方向の前方に位置した第１ピン４１と、畦形成部側のパイプフレーム２２の上部に設けた第２ピン４２とに掛け渡したものである。連結ロッド４３は本実施例においては、ターンバックル構造で中央胴体枠の両端に左ネジ、右ネジ軸を差し込んだもので、左右のネジ軸端が第１ピン４１と第２ピン４２とに固着されており、中央胴体を回転することにより、連結ロッド長さを伸縮するものである。ターンバックルの代りに電動油圧シリンダを用いても本発明の要旨は変わらない。【０００９】  ５２はダブル広角ジョイントを示し、トラクタＰＴＯ軸から動力が伝導されて伝達部を構成し、畦形成部３の入力伝動ケース５４に回転力を伝える。２３はボス軸で、支持フレーム２の基部に上方向に連結され、回転軸４に対して旋回自在に設けられ、２４の固定板を水平に設けている。６は操作ハンドルで、６１のワイヤケーブルを介して前記した固定板２４に対して固定解除の制御指示をするものである。【００１０】  図４は、装着フレーム１の回転軸４を中心として、支持フレーム２に設けた畦形成部３を１８０度旋回した位置を示して、後進作業時の平面図である。【００１１】  図５と図６についてさらに説明する。装着フレーム１の中央部の下方に伝達部５を装備する。伝達部５はトラクタから入力される入力軸５１を設けて、後端にダブル広角ジョイント５２の前端を連結する。ダブル広角ジョイント５２の他端は、入力伝達ケース５４の伝達軸５３に連結され、前記入力軸５１に対する取り付け角度と入力伝達軸５３への取り付け折れ角はほぼ対称である。【００１２】  ２は支持フレームを示し、前端にボス軸２３を設けて４の回転軸を支点として旋回自在に支持される。２２はパイプフレームを示し、前記した支持フレー厶２の外周に摺動自在に設けられている。ボス軸２３に設けた固定板２４の係合孔にロックピン６２が係合して支持フレーム２の旋回を阻止する。６１のワイヤケーブルを操作ハンドルによって引くとロックピン６２は下降して固定を解除する。【００１３】  図７と図８において、固定手段の固定解除の動作を説明する。図７においては前進作業時の位��に支持フレーム２が固定された状態である。すなわち、固定板２４の係合孔６３，６３ａ，６３ｂが３個設けられ、６２のロックピンが係合した位置から第２の係合孔６３ａ、第３の係合孔６３ｂと順次解除と挿入をする。特に図８について動作を説明すると、操作ハンドル６を引くと６１のワイヤケーブルがリンクロッド６４の一方のブラケットを引き上げ、他方部のブラケットが下方へ下がりロックピン６５が下降して、固定板２４の係合孔６３から解除されて、操作ハンドルを操作しながら支持フレー厶２の旋回によって走行移動用の係合孔６３ａ、後進作業用の係合孔６３を選択して固定するものである。【００１４】  図２は前進作業時の後面図を示し、２点鎖線の畦形成装置は連結ロッド４３の伸線によって、旧畦の位置合わせの為の移動される様子を示したものである。【００１５】  装着フレーム１側の回転軸４の前方に位置した第１ピン４１と畦形成部側の第２ピン４２とに連結ロッド４３を掛け渡して走行移動位置に旋回した時に、畦形成作業部が回転軸４側へ近接移動する作用について説明する。【００１６】  図１の第１ピン４１と回転軸４との距離をＬ１、回転軸４と第２ピン４２との距離をＬ２とする。第１ピン４１と第２ピン４２に掛け渡した連結ロッド４３の長さをＬとすると、前記Ｌ１＋Ｌ２よりＬが小さい場合にその長さの差だけパイプフレーム２２が固定された時に比較して摺動して畦形成作業部の重心が回転軸４側へ接近する。
【図面の簡単な説明】
【００１７】
【図１】本発明を実施した畦形成機の前進作業時の平面図
【図２】前進作業時の後面図
【図３】前進作業時の左側面図
【図４】畦形成機の後進作業時の平面図
【図５】畦形成機の走行移動時の一部を省略した左側面図
【図６】図５に示した左側面図の回転軸部の詳細図
【図７】支持フレーム部の説明図
【図８】図８は固定手段の固定解除説明図
【符号の説明】
【００１８】１      装着フレーム
１１    ロアピン
１２    トップブラケット
２      支持フレーム
２２    パイプフレーム
２３    ボス軸
２４    固定板
３      畦形成部
３１    盛土装置
３２    畦形成装置
３３    畦上面削土装置
３４    第１チェーンケース
３５    第２チェーンケース
３６    掘削爪
４      回転軸
４１    第１ピン
４２    第２ピン
４３    連結ロッド
５      伝達部
５１    入力軸
５２    ダブル広角ジョイント
５３    伝達軸
５４    入力伝達ケース
６      操作ハンドル
６１    ワイヤケーブル
６２    ロックピン
６３    係合孔
６３ａ  係合孔
６３ｂ  係合孔
６４    リンクロッド
【図１】
2005058203.tif 000003
【図２】
2005058203.tif 000004
【図３】
2005058203.tif 000005
【図４】
2005058203.tif 000006
【図５】
2005058203.tif 000007
【図６】
2005058203.tif 000008
【図７】
2005058203.tif 000009
【図８】
2005058203.tif 000010